(57)【要約】【課題】  被検眼の層厚と正常眼の層厚統計データを精度良く比較できるようにする。【解決手段】  断層像を解析し被検眼の所定組織の層厚を計測する計測手段と、被検眼の複数の部位の位置を特定する部位特定手段と、複数の被検眼の所定組織の層厚の統計データと、  複数の部位の位置情報を用いて前記被検眼と統計データを位置合わせする位置合わせ手段と、被検眼の所定組織の層厚と複数の被検眼の所定組織の層厚の統計データとを比較する比較手段と、  を有する。【選択図】  図１
2015080677.tif 000002
【特許請求の範囲】
【請求項１】
被検眼に照射された光の戻り光と参照光とを干渉させた干渉光に基づいて被検眼の断層画像を生成する生成手段と、
前記生成手段で生成された断層像を解析し被検眼の所定組織の層厚を計測する計測手段と、
被検眼の複数の部位の位置を特定する部位特定手段と、
複数の被検眼の所定組織の層厚の統計データと、
複数の部位の位置情報を用いて前記被検眼と統計データを位置合わせする位置合わせ手段と、
被検眼の所定組織の層厚と複数の被検眼の所定組織の層厚の統計データとを比較する比較手段と、
を有する、眼科装置。
【請求項２】
前記部位特定手段は、複数の被検眼において個々に複数の部位の位置情報を特定し、
前記層厚の統計データは、複数の部位の位置情報を用いて位置合わせされていることを特徴とする
請求項１に記載の眼科装置。
【請求項３】
前記比較手段の比較結果を表示するための表示手段を持つことを特徴とする、
請求項１または請求項２に記載の眼科装置。
【請求項４】
前記部位特定手段によって特定される複数の部位は、黄斑中心と乳頭中心であることを特徴とする、
請求項１乃至３のいずれか１項に記載の眼科装置。
【請求項５】
被検眼の黄斑部を撮影した場合、
前記位置合わせ手段は被検眼の黄斑中心と統計データにおける黄斑中心とが一致するよう水平、垂直方向に位置合わせを行い、
被検眼の黄斑中心から乳頭中心に向かう角度と統計データにおける黄斑中心から乳頭中心に向かう角度とが一致するよう回転方向の位置合わせを行うことを特徴とする、
請求項４に記載の眼科装置。
【請求項６】
被検眼の乳頭部を撮影した場合、
前記位置合わせ手段は被検眼の乳頭中心と統計データにおける乳頭中心とが一致するよう水平、垂直方向に位置合わせを行い、
被検眼の乳頭中心から黄斑中心に向かう角度と統計データにおける乳頭中心から黄斑中心に向かう角度とが一致するよう回転方向の位置合わせを行うことを特徴とする、
請求項４に記載の眼科装置。
【請求項７】
前記位置合わせ手段は被検眼の黄斑中心及び乳頭中心と統計データにおける黄斑中心及び乳頭中心とが一致するよう位置合わせを行うことを特徴とする、
請求項４に記載の眼科装置。
【請求項８】
被検眼に照射された光の戻り光と参照光とを干渉させた干渉光に基づいて被検眼の断層画像を生成する生成工程と、
前記生成工程で生成された断層像を解析し被検眼の所定組織の層厚を計測する計測手段と、
被検眼の複数の部位の位置を特定する部位特定工程と、
複数の部位の位置情報を用いて前記被検眼と複数の被検眼の所定組織の層厚の統計データを位置合わせする位置合わせ工程と、
被検眼の所定組織の層厚と複数の被検眼の所定組織の層厚の統計データとを比較する比較工程と、
を有する、比較方法。
【請求項９】
請求項８記載の比較方法を実行させるためのプログラム。
【発明の詳細な説明】
【技術分野】
【０００１】
本発明は、眼科装置、比較方法及びプログラムに関するものである。
【背景技術】
【０００２】
現在、多波長光波干渉を利用した光コヒーレンストモグラフィ（ＯＣＴ：Ｏｐｔｉｃａｌ  Ｃｏｈｅｒｅｎｃｅ  Ｔｏｍｏｇｒａｐｈｙ）により被検眼の断層像を得ることが可能である。
【０００３】
また、断層像を解析することで得られた層厚を比較することで特定の眼疾患の診断に寄与することが可能である。さらに、特許文献１に示すように眼疾患を持たない正常眼の層厚を統計データとして備え、測定した層厚と比較することにより眼疾患の診断に寄与する技術が知られている。
【０００４】
正常眼の層厚統計データと撮影した断層像の層厚とを比較する際、同じ部位同士の層厚を比較しなければ比較結果が不正確なものになる恐れがある。そのため特許文献１に記載の光干渉断層撮影装置では標準位置を定め、標準位置同士を位置合わせすることにより同一部位における層厚の比較を可能としている。
【先行技術文献】
【特許文献】
【０００５】
【特許文献１】特許５１０１９７５
【発明の概要】
【発明が解決しようとする課題】
【０００６】
しかしながら、前述のように一つの位置情報だけを用いて撮影した断層像と正常眼の層厚統計データを位置合わせした場合、適切な比較が行えない場合がある。
本発明は上記課題に鑑み、正常眼の層厚統計データとの比較精度を向上させることを目的とする。
【課題を解決するための手段】
【０００７】
上記目的を達成するために、
被検眼に照射された光の戻り光と参照光とを干渉させた干渉光に基づいて被検眼の断層画像を生成する生成手段と、前記生成手段で生成された断層像を解析し被検眼の所定組織の層厚を計測する計測手段と、被検眼の複数の部位の位置を特定する部位特定手段と、
複数の被検眼の所定組織の層厚の統計データと、複数の部位の位置情報を用いて前記被検眼と統計データを位置合わせする位置合わせ手段と、被検眼の所定組織の層厚と複数の被検眼の所定組織の層厚の統計データとを比較する比較手段と、
を有することを特徴とする。
【発明の効果】
【０００８】
本発明によれば、被検眼の層厚と正常眼の層厚統計データの比較精度を向上させることができる。
【図面の簡単な説明】
【０００９】
【図１】本発明に係る黄斑部の層厚と正常眼の層厚の統計データとを位置合わせする方法を示す図である。
【図２】（ａ）は本発明に係る光干渉断層撮影装置の全体概要図、（ｂ）は本発明に係る光干渉断層撮影装置のブロック図、（ｃ）は本発明に係る光干渉断層撮影装置の画像取得部である測定光学系の説明図である。
【図３】本発明に係る光干渉断層撮影装置の撮影画面の説明図である。
【図４】黄斑部を中心に撮影した場合の解析結果を表示するレポート画面の説明図である。
【図５】層厚マップの生成方法を示すフローである。
【図６】黄斑部の層厚マップの生成方法を示す図である。
【図７】層厚の統計データの生成方法を示すフローである。
【図８】黄斑部の層厚の統計データの生成方法を示す図である。
【図９】被検眼の層厚と正常眼の層厚の統計データとを位置合わせする方法を示すフローである。
【図１０】本発明に係る黄斑部の層厚と正常眼の層厚の統計データとを位置合わせする方法の変形例を示す図である。
【図１１】黄斑部の層厚と正常眼の層厚の統計データとの比較結果の表示例を示す図である。
【図１２】乳頭部を中心に撮影した場合の解析結果を表示するレポート画面の説明図である。
【図１３】乳頭部の層厚の統計データの生成方法を示す図である。
【図１４】本発明に係る乳頭部の層厚と正常眼の層厚の統計データとを位置合わせする方法を示す図である。
【図１５】本発明に係る乳頭部の層厚と正常眼の層厚の統計データとを位置合わせする方法の変形例を示す図である。
【図１６】網膜の層構造を示す図である。
【発明を実施するための形態】
【００１０】
（本体構成）
以下、図面を参照して本実施形態に係る光断層画像撮像装置を説明する。
【００１１】
図２（ａ）は、本実施形態に係る光断層画像撮像装置（眼科装置）の側面図である。２００は光干渉断層装置、９００は前眼部像および被検眼の正面画像（眼底画像）および断層像を取得するための取得部（測定光学系）、９５０は移動部としてのステージ部で、画像取得部９００をＸＹＺ方向に不図示のモータを用いて移動可能とする。９５１は後述の分光器を内蔵するベース部である。
【００１２】
画像取得部９００は、後に詳述するが、被検体の画像を取得するための光を被検体上で走査させ、被検体を撮像することで被検体の画像を取得するものである。
【００１３】
９２５はパソコンであり、断層画像の構成や、ステージ部の制御とともにアライメント動作の制御等を行う。更に後述する層厚の計測や黄斑中心の特定、乳頭中心の特定、位置合わせ、比較マップの生成、モニタへの表示制御等を行う。９２６はハードディスクで、患者情報と各種撮影データを記憶する患者情報記憶部を兼ね、断層撮像用のプログラムや正常眼の層厚の統計データ等を記憶する記憶部である。
【００１４】
９２８は、表示部であるモニタであり、９２９はパソコンへの指示を行う入力部であり、具体的にはキーボードとマウスから構成される。即ち、モニタ９２８は、後述する撮影画面、レポート画面を時分割する単一の共通モニタで、画像取得部９００側ではなくパソコン９２５側に設けられる。
【００１５】
３２３は顔受けであり、不図示のモータによる上下動が可能な顎受け３２４、額当て３２５、後述の対物レンズの高さ方向の移動範囲中心に設けられた目高線３２６を備えている。被検者の顎を顎受け３２４に載せ、額を額当て３２５に当て、被検者の眼の高さが目高線３２６と略一致するように被検者の顔を固定することで、被検眼を取得部９００に概略位置決めすることができる。
【００１６】
（ブロック図）
本実施形態におけるブロック図について図２（ｂ）を用いて説明する。それぞれの動作の詳細については後述する。
【００１７】
９３０は断層像生成部であり、取得部９００により得られた後述の参照光の信号に基づいて断層像を生成する。
【００１８】
９３１は層厚計測部であり、断層像生成部９３０により形成された断層像を解析し、被検眼の層構造を識別し、その層厚（所定組織の層厚）を計測する。層厚計測部９３１は、本発明における計測手段の一例に相当する。
【００１９】
９３２は黄斑中心特定部であり、断層像生成部９３０により形成された断層像、層厚計測部９３１により計測された層厚、及び固視灯の呈示位置情報を用いて被検眼の黄斑中心位置を特定する。黄斑中心特定部９３２は、本発明における部位特定手段の一つに相当する。
【００２０】
９３３は乳頭中心特定部であり、断層像生成部９３０により形成された断層像、層厚計測部９３１により計測された層厚、及び被検眼の正面画像を用いて被検眼の乳頭中心位置を特定する。乳頭中心特定部９３３は、本発明における部位特定手段の一つに相当する。
【００２１】
９３４は層厚マップ生成部であり、層厚計測部９３１により計測された層厚情報を用いて層厚毎に色分けしたカラーマップを生成する。
【００２２】
９３５は位置合わせ部であり、黄斑中心特定部９３２及び乳頭中心特定部９３３により特定された黄斑中心及び乳頭中心の位置情報を用いて、被検眼と統計データ及び複数の被検眼の位置合わせを行う。位置合わせ部９３５は、本発明における位置合わせ手段の一例に相当する。
【００２３】
９３６は統計データ生成部であり、黄斑中心及び乳頭中心の位置情報を用いて位置合わせされた複数の被検眼の層厚情報を統計データとして生成する。
【００２４】
９３７は比較マップ生成部であり、被検眼の層厚と統計データとの比較を行い、比較結果をカラーマップとして生成する。比較マップ生成部９３７は、本発明における比較手段の一例に相当する。
【００２５】
９３８は表示制御手段であり、層厚マップ生成部９３４及び比較マップ生成部９３７により生成されたカラーマップを、モニタ９２８へ表示する制御を行う。
【００２６】
（測定光学系および分光器の構成）
本実施形態の測定光学系および分光器の構成について図２（ｃ）を用いて説明する。まず、取得部９００の内部について説明する。被検眼１０７に対向して対物レンズ１３５−１が設置され、その光軸上に第１ダイクロックミラー１３２−１および第２ダイクロイックミラー１３２−２が配置されている。これらのダイクロイックミラーによってＯＣＴ光学系の光路３５１、被検眼の観察と正面画像の取得とを兼ねるＳＬＯ光学系と固視灯用の光路３５２、および前眼観察用の光路３５３とに波長帯域ごとに分岐される。
【００２７】
ＳＬＯ光学系と固視灯用の光路３５２はＳＬＯ走査手段１３３、レンズ１３５−３および１３５−４、ミラー１３２−５、第３ダイクロイックミラー１３２−３、フォトダイオード１７３、ＳＬＯ光源１７４、固視灯１９１を有している。ミラー１３２−５は、穴あきミラーや中空のミラーが蒸着されたプリズムであり、ＳＬＯ光源１７４による照明光と、被検眼からの戻り光とを分離する。第３ダイクロイックミラー１３２−３はＳＬＯ光源１７４および固視灯１９１への光路へと波長帯域ごとに分離する。ＳＬＯ走査手段１３３は、ＳＬＯ光源１７４と固視灯１９１から発せられた光を被検眼１０７上で走査するものであり、Ｘ方向に走査するＸスキャナ、Ｙ方向に走査するＹスキャナから構成されている。本実施形態では、Ｘスキャナは高速走査を行う必要があるためポリゴンミラーによって、Ｙスキャナはガルバノミラーによって構成されている。レンズ１３５−３はＳＬＯ光学系および固視灯の焦点合わせのため、不図示のモータによって駆動される。ＳＬＯ光源１７４は７８０ｎｍ付近の波長の光を発生する。フォトダイオード１７３は、被検眼からの戻り光を検出する。固視灯１９１は可視光を発生して被検者の固視を促すものである。
【００２８】
ＳＬＯ光源１７４から発せられた光は、第３ダイクロイックミラー１３２−３で反射され、ミラー１３２−５を通過し、レンズ１３５−４、１３５−３を通り、ＳＬＯ走査手段１３３によって、被検眼１０７上で走査される。被検眼１０７からの戻り光は、投影光と同じ経路を戻ったのち、ミラー１３２−５によって反射され、フォトダイオード１７３へと導かれる。固視灯１９１は第３ダイクロイックミラー１３２−３、ミラー１３２−５を透過し、レンズ１３５−４、１３５−３を通り、ＳＬＯ走査手段１３３によって、被検眼１０７上で走査される。このとき、ＳＬＯ走査手段の動きに合わせて固視灯１９１を点滅させることによって、被検眼１０７上の任意の位置に任意の形状をつくり、被検者の固視を促す。
【００２９】
前眼観察用の光路３５３において、１３５−２、１３５−１はレンズ、１４０はスプリットプリズム、１７１は赤外光を検知する前眼部観察用のＣＣＤである。このＣＣＤ１７１は、不図示の前眼観察用照射光の波長、具体的には９７０ｎｍ付近に感度を持つものである。スプリットプリズム１４０は、被検眼１０７の瞳孔と共役な位置に配置されており、被検眼１０７に対する取得部９００のＺ方向（前後方向）の距離を、前眼部のスプリット像として検出することができる。
【００３０】
ＯＣＴ光学系の光路３５１は、前述の通りＯＣＴ光学系を成しており、被検眼１０７の断層画像を撮像するためのものである。より具体的には、断層画像を形成するための干渉信号を得るものである。１３４は光を被検眼上で走査するためのＸＹスキャナである。ＸＹスキャナ１３４は１枚のミラーとして図示してあるが、ＸＹ２軸方向の走査を行うガルバノミラーである。
【００３１】
１３５−５、１３５−６はレンズであり、そのうちレンズ１３５−５は、光カプラー１３１に接続されているファイバー１３１−２から出射するＯＣＴ光源１０１からの光を、被検眼１０７に焦点合わせするために不図示のモータによって駆動される。この焦点合わせによって、被検眼１０７からの戻り光は同時にファイバー１３１−２の先端に、スポット状に結像されて入射されることとなる。
【００３２】
次に、ＯＣＴ光源１０１からの光路と参照光学系、分光器の構成について説明する。１０１はＯＣＴ光源、１３２−４は参照ミラー、１１５は分散補償用ガラス、１３１は光カプラー、１３１−１〜４は光カプラーに接続されて一体化しているシングルモードの光ファイバー、１３５−７はレンズ、１８０は分光器である。
【００３３】
これらの構成によってマイケルソン干渉系を構成している。ＯＣＴ光源１０１から出射された光は、光ファイバー１３１−１を通じ、光カプラー１３１を介して光ファイバー１３１−２側の測定光と、光ファイバー１３１−３側の参照光とに分割される。測定光は前述のＯＣＴ光学系光路を通じ、観察対象である被検眼１０７に照射され、被検眼による反射や散乱により同じ光路を通じて光カプラー１３１に到達する。
【００３４】
光カプラー１３１によって、測定光と参照光は合波され干渉光となる。ここで、測定光の光路長と参照光の光路長がほぼ同一となったときに干渉を生じる。参照ミラー１３２−４は、不図示のモータおよび駆動機構によって光軸方向に調整可能に保持され、被検眼１０７によって変わる測定光の光路長に参照光の光路長を合わせることが可能である。干渉光は光ファイバー１３１−４を介して分光器１８０に導かれる。
【００３５】
また、１３９−１は、光ファイバー１３１−２中に設けられた測定光側の偏光調整部である。１３９−２は、光ファイバー１３１−３中に設けられた参照光側の偏光調整部である。これらの偏光調整部は光ファイバーをループ状にひきまわした部分を幾つか持っている。このループ状の部分をファイバーの長手方向を中心として回動させることでファイバーに捩じりを加え、測定光と参照光の偏光状態を各々調整して合わせることが可能なものである。
【００３６】
分光器１８０はレンズ１３５−８、１３５−９、回折格子１８１、ラインセンサ１８２から構成される。光ファイバー１３１−４から出射された干渉光はレンズ１３５−８を介して平行光となった後、回折格子１８１で分光され、レンズ１３５−９によってラインセンサ１８２に結像される。
【００３７】
以上述べたＯＣＴ光学系は、本発明において被検査物に測定光を照射して断層像を取得する取得手段に対応する。
【００３８】
次に、ＯＣＴ光源１０１の周辺について説明する。ＯＣＴ光源１０１は、代表的な低コヒーレント光源であるＳＬＤ（Ｓｕｐｅｒ  Ｌｕｍｉｎｅｓｃｅｎｔ  Ｄｉｏｄｅ）である。中心波長は８５５ｎｍ、波長バンド幅は約１００ｎｍである。ここで、バンド幅は、得られる断層画像の光軸方向の分解能に影響するため、重要なパラメータである。
【００３９】
光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等を用いることができる。中心波長は眼を測定することを鑑みると近赤外光が適する。また、中心波長は得られる断層画像の横方向の分解能に影響するため、なるべく短波長であることが望ましい。双方の理由から中心波長８５５ｎｍとした。
【００４０】
本実施形態では干渉系としてマイケルソン干渉系を用いたが、マッハツェンダー干渉系を用いても良い。測定光と参照光との光量差に応じて、光量差が大きい場合にはマッハツェンダー干渉系を、光量差が比較的小さい場合にはマイケルソン干渉系を用いることが望ましい。
【００４１】
以上のような構成により、被検眼の断層像を取得することができ、かつ、近赤外光であってもコントラストの高い被検眼の正面画像を取得することができる。
【００４２】
（断層画像の撮像方法）
光干渉断層装置２００を用いた断層画像の撮像方法について説明する。光干渉断層装置２００はＸＹスキャナ１３４を制御することで、被検眼１０７の所定部位の断層画像を撮像することができる。ここで、断層像取得光を被検眼中で走査する軌跡のことをスキャンパターン（走査パターン）と呼ぶ。このスキャンパターンには、例えば、一点を中心として縦横十字にスキャンするクロススキャンや、エリア全体を塗りつぶすようにスキャンし結果として３次元断層像（ボリューム画像）を得る３Ｄスキャンなどがある。特定の部位に対して詳細な観察を行いたい場合はクロススキャンが適しており、網膜全体の層構造や層厚を観察したい場合は３Ｄスキャンが適している。
【００４３】
ここでは、３Ｄスキャンを実行した場合の撮像方法を説明する。まず、図中Ｘ方向に測定光のスキャン（走査）を行い、被検眼におけるＸ方向の撮像範囲から所定の撮像本数の情報をラインセンサ１８２で撮像する。Ｘ方向のある位置で得られるラインセンサ１８２状の輝度分布を高速フーリエ変換（Ｆａｓｔ  Ｆｏｕｒｉｅｒ  Ｔｒａｎｓｆｏｒｍ：ＦＦＴ）し、ＦＦＴで得られた線状の輝度分布をモニタ９２８に示すために濃度情報に変換する。これをＡスキャン画像と呼ぶ。
【００４４】
また、この複数のＡスキャン画像を並べた２次元の画像をＢスキャン画像と呼ぶ。１つのＢスキャン画像を構成するための複数のＡスキャン画像を撮像した後、Ｙ方向のスキャン位置を移動させて再びＸ方向のスキャンを行うことにより、複数のＢスキャン画像を得る。
【００４５】
複数のＢスキャン画像、あるいは複数のＢスキャン画像から構築した３次元画像（ボリュームデータ）を以下に述べるモニタ９２８に表示することで検者が被検眼の診断に用いることができる。ここでは、Ｘ方向のＢスキャン画像を複数得ることで３次元画像を得る例を示したが、Ｙ方向のＢスキャン画像を複数得ることで３次元画像を得てもよい。
【００４６】
このとき、フーリエ変換の原理上の特性から、特定の位置、具体的には測定光路長と参照光路長とが等しくなる位置（ゲート位置）を基準とした対象形となる断層像が形成される。また、ゲート位置を基準とした周期的な断層像が形成される。そのため、検者に観察しやすい断層画像とするために、特定の領域（画像領域）を切り出して表示することが必要である。
【００４７】
（撮影画面の構成）
図３を用いて本実施形態に係る撮影画面２０００について説明する。撮影画面２０００は、所望の被検眼像を得るために、各種の設定および調整を行う画面であり、撮像前にモニタ９２８に表示される画面である。
【００４８】
２４００は患者情報表示部であり、本画面で撮影を行う患者の情報、例えば患者ＩＤ、患者名、年齢、性別などを表示する。２００１は被検眼の左右を切り替えるボタンであり、Ｌ、Ｒボタンを押すことにより、左右眼の初期位置に画像取得部９００を移動する。２１０１は前眼部観察用のＣＣＤ１７１によって得られた前眼部観察画面であり、前眼部観察画面２１０１上の任意の点をマウスでクリックすることで、その点を画面の中心にするよう取得部９００を移動させ、取得部と被検眼の位置合わせを行う。２０１２はスキャンモード選択ボタンであり、黄斑３Ｄモード、及び乳頭３Ｄモードを選択することができる。２２０１はフォトダイオード１７３によって得られた被検眼の正面画像表示画面、２３０１は取得された断層画像を確認するための断層画像表示画面である。２００４は開始ボタンであり、このボタンを押すことで断層像および正面画像の取得が開始され、正面画像表示画面２２０１および断層画像表示画面２３０１に取得した被検眼像がリアルタイムで表示される。このとき、正面画像表示画面２２０１内に表示される枠２２０２は、撮影時に断層像を取得する範囲である。また、縦方向の中心部にある横向きの矢印線２２０３は、断層画像表示画面２３０１に表示されている断層像を取得している被検眼上の位置およびスキャン方向を示している。
【００４９】
ここで、断層画像表示画面２３０１の外枠体２３０２は画像領域を示している。画像領域２３０２の図中左辺および右辺はスキャン範囲２２０２と同境界であり、上辺は測定光路長と参照光路長が等しい位置（ゲート位置）であり、下辺は上辺から所定の長さだけ離れた位置である。
【００５０】
それぞれの画像の近傍に配置されているスライダは、調整を行うためのものである。スライダ２１０３は被検眼に対する取得部のＺ方向の位置を調整するもの、スライダ２２０３はフォーカス調整を行うもの、スライダ２３０３はコヒーレンスゲートの位置を調整するものである。フォーカス調整は、眼底に対する合焦調整を行うために、レンズ１３５−３および１３５−５を図示の方向に移動する調整である。コヒーレンスゲート調整は、断層画像が断層画像表示画面の所望の位置で観察されるために、参照ミラー１３２−４を図示の方向に移動する調整である。これにより、ＯＣＴ光学系における断層像と参照光路との光路長差が変更されるため、断層画像表示画面２３０１中の断層像は上下方向に移動し、検者は断層画像を断層画像表示画面の所望の位置に配置することができる。
【００５１】
これらの調整操作により、検者は最適な撮像が行える状態を創出する。２００３は撮像ボタンであり、各種調整が終了したときに、このボタンを押すことで所望の撮像が行われる。
【００５２】
（黄斑部レポート画面の構成）
図４を用いて本実施形態に係る黄斑部レポート画面４０００について説明する。黄斑部レポート画面４０００は、モニタ９２８に表示される画面である。スキャンモード選択ボタン２０１２で黄斑３Ｄモードを選択して撮像した被検眼像、計測結果、及び比較結果を詳細に確認する画面である。
【００５３】
４００１は患者情報表示部であり、本画面で表示されている患者の情報、例えば患者ＩＤ、患者名、生年月日、性別、人種などを表示する。４１００は正面画像表示画面であり、ＳＬＯ像もしくは、取得された断層画像から再構築或いは再構成した被検眼画像であるプロジェクション像が表示される。４２００は断層画像表示画面であり、取得された断層画像が表示される。正面画像表示画面４１００には、断層画像表示画面４２００に表示されている断層像を取得した際の走査軌跡の概要図が矢印４１０２として重畳表示される。正面画像表示画面４１００内に表示される枠４１０１は、撮影時に断層像を取得する範囲であり、黄斑を中心とした１０ｍｍの正方形である。
【００５４】
４３００は層厚マップ、４４００は比較マップである。以下では、これらについて詳細に説明する。
【００５５】
（黄斑部層厚マップ）
図６を用いて本実施形態に係る層厚マップについて説明する。
【００５６】
ここで、人の網膜は、図１６に示すように硝子体、内境界膜（ＩＬＭ）、神経線維層（ＮＦＬ）、神経細胞層（ＧＣＬ）、内網状層（ＩＰＬ）、ＩＳ／ＯＳ（視細胞内節外節接合部）、ＲＰＥ（網膜色素上皮）と呼ばれる層構造などで構成されている。
【００５７】
それぞれの層は特定の眼疾患の進行に伴い厚みが増減することが知られており、特に緑内障の診断においてはＮＦＬ、及びＧＣＬを含む層厚を観察することが重要である。層厚の観察には、層厚マップと呼ばれる網膜上の個々の位置における層厚を層厚毎に色分けしたカラーマップが有効である。層厚の大小が色の変化で示されるため、層厚が肥厚あるいは減少している箇所を直感的に把握することができる。緑内障診断向けの層厚マップとしては、ＮＦＬ厚マップ、ＮＦＬ＋ＧＣＬ＋ＩＰＬ複合層厚マップ、ＧＣＬ＋ＩＰＬ複合層厚マップなどが主に用いられる。特に黄斑部の層厚マップとしてはＮＦＬ＋ＧＣＬ＋ＩＰＬ複合層厚マップ、ＧＣＬ＋ＩＰＬ複合層厚マップが用いられる。これは神経細胞が黄斑中心を中心としてドーナツ状に分布しているためである。
【００５８】
層厚マップについて、図６を用いて説明する。図６（ｃ）は層厚マップの概要図である。４３０１は２次元画像、４３００は層厚マップ、４３１０は層厚に対応する色を示したカラースケールである。層厚マップ４３００の領域内は、特定の層の層厚解析結果に基づいた層厚を、カラースケール４３１０に対応する色で表現している。これにより、ユーザは層厚の分布を容易かつ直感的に観察することができ、診断を効率的に行うことができる。なお、図１（ｃ）では、塗りつぶす色を半透明色とし、正面画像の上に層厚マップ４３００を重畳表示している。
【００５９】
次に図５を用いて、本実施形態に係る層厚マップの生成フローについて説明する。まずステップＳ１１にて開始した後、ステップＳ１２にて取得部９００により断層像のボリュームデータが取得され、断層像生成部９３０によって断層像が生成される。次に、ステップＳ１３にて層厚計測部９３１は被検眼の層構造を解析する。層構造の解析は、各層の反射率の違いにより信号強度が異なることを利用することで各層を識別することができる。層構造の解析後、層厚計測部９３１は各層の層厚を計測する。
【００６０】
次に、ステップＳ１４にて黄斑中心特定部９３２は黄斑中心位置の特定を行う。ステップＳ１２で生成された断層像のボリュームデータは図６（ａ）と図６（ｂ）に示すように黄斑部を含む複数の断層像から構成されている。そこで黄斑中心特定部９３２は複数の断層像の層厚計測結果を用い、ＮＦＬ＋ＧＣＬ＋ＩＰＬ複合層厚が最も小さくなる位置を黄斑中心として決定する。黄斑中心は中心窩とも呼ばれる視界の中心点であり、図１６に示すように断層像上ではＩＬＭの窪みとして現れる。また、黄斑中心下では網膜を構成する層構造のうち内層と呼ばれる上層側の層厚が非常に薄くなることが知られている。そのため、上層の一部であるＮＦＬ＋ＧＣＬ＋ＩＰＬ複合層厚の層厚が薄くなる位置を特定することで、黄斑中心を決定することができる。なお、黄斑中心下では網膜内層であればどの層も薄くなるため、ＮＦＬ＋ＧＣＬ＋ＩＰＬ複合層厚だけでなく、ＮＦＬ単独の層厚やＧＣＬ＋ＩＰＬ複合層厚、ＩＮＬ厚などを用いて黄斑中心を特定することもできる。
【００６１】
さらに、黄斑中心特定部９３２は固視灯１９１の呈示位置の情報を用いて黄斑中心位置を特定することもできる。断層像の撮像を行う際、被検眼は固視灯を注視している。前述したように黄斑中心は視界の中心であるため、黄斑中心特定部９３２は固視灯１９１の呈示位置を黄斑中心位置として特定することができる。黄斑中心特定部９３２は黄斑の中心ではなく黄班の位置を特定することとしてもよい。また、黄斑中心特定部９３２は黄班の中心ではなく重心を特定することとしてもよい。
【００６２】
次に、ステップＳ１５にて乳頭中心特定部９３３は乳頭中心位置の特定を行う。乳頭中心特定部９３３は複数の断層像の層厚計測結果を用い、ＲＰＥ層が存在しない円形の部位を特定し、その円形の部位の中心を乳頭中心として決定する。乳頭は視神経乳頭とも呼ばれる網膜上の大きな窪みである。この窪みは網膜の外側から多数の血管や視神経を通すための窪みであり、この窪み内ではＲＰＥ等の層構造は存在していない。そのため、ＲＰＥ層が不存在となる部位を特定することで乳頭中心位置を特定することができる。また、乳頭中心位置は網膜の正面画像を用いて特定することもできる。乳頭部は網膜の正面画像上で非常に高輝度な円形領域として現れる。そのためエッジ検出や二値化などの画像処理により乳頭形状を認識し、乳頭中心位置を特定することができる。乳頭中心特定部９３３は乳頭の中心ではなく乳頭の位置を特定することとしてもよい。また、乳頭中心特定部９３３は乳頭の中心ではなく重心を特定することとしてもよい。
【００６３】
次に、ステップＳ１６にて層厚マップ生成部９３４はステップＳ１３で得られた層厚に基づいて、層厚マップデータを生成する。ステップＳ１６で層厚マップデータを生成した後、ステップＳ１７でレポート画面４０００に表示し、ステップＳ１８で終了する。
【００６４】
（黄斑部統計データ）
次に、層厚の比較に用いる統計データの生成方法について図８を用いて説明する。統計データはある基準で選定された複数の被検眼の層厚の統計データであり、眼疾患を有しない正常眼の層厚の統計データであることが多い。多数の正常眼の層厚を計測したとき、その層厚の分布は一定の幅を持つ。これを正規分布として捉えた場合、母集団に対する９８％信頼区間や９０％信頼区間を求めることができる。そして、実際の患者の層厚と上記信頼区間とを比較することで、その患者の層厚が正常範囲から逸脱しているかどうかを判断することができる。特に、緑内障ではＮＦＬとＧＣＬを含む層厚の統計データと比較することで、早期の緑内障診断に寄与することができる。
【００６５】
ところで、網膜におけるＮＦＬ及びＧＣＬの層厚は視神経の分布、走行状態と関連がある。視神経は乳頭部から放射状に伸びており、黄斑中心を取り囲むように弧を描くように走行している。従って、ＮＦＬ及びＧＣＬの層厚も乳頭部と黄斑中心の位置関係に大きく依存する。一方、図８（ａ）に示すように乳頭部と黄斑中心の位置関係は個人毎に大きく異なっている。そのため、層厚の統計データを生成する際、乳頭部と黄斑中心の位置関係を考慮することが重要である。
【００６６】
次に図７を用いて、本実施形態に係る統計データの生成フローについて説明する。まずステップＳ２１にて開始した後、ステップＳ２２にて取得部９００により断層像のボリュームデータが取得され、断層像生成部９３０によって断層像が生成される。次に、ステップＳ２３にて層厚計測部９３１は被検眼の層構造を解析する。層構造の解析後、層厚計測部９３１は各層の層厚を計測する。次に、ステップＳ２４にて黄斑中心特定部９３２は黄斑中心位置の特定を行い、ステップＳ２５にて乳頭中心特定部９３３は乳頭中心位置の特定を行う。ここまでの一連のステップは層厚マップ生成時と同じである。そして、複数の被検眼に対してステップＳ２２からステップＳ２５までの一連のステップを繰り返すことにより、複数の被検眼の層厚と黄斑中心、乳頭中心の情報を得る。
【００６７】
次に、ステップＳ２６にて位置合わせ部９３５は複数の被検眼の層厚の位置合わせを行う。初めに位置合わせ部９３５は図８（ａ）に示される黄斑中心Ｍｃ１、Ｍｃ２、・・・、Ｍｃｎの位置合わせを行う。この位置合わせは全ての黄斑中心が同じ位置となるよう各データを水平、垂直方向に平行移動することで行う。次に位置合わせ部９３５は乳頭中心Ｄｃ１、Ｄｃ２、・・・、Ｄｃｎの位置合わせを行う。この位置合わせは、黄斑中心Ｍｃｎから乳頭中心Ｄｃｎに向かう直線Ｌ１、Ｌ２、・・・、Ｌｎの傾きが一致するよう各データを黄斑中心を中心として回転させることにより行う。すなわち、回転方向の位置合わせを行う。これらの位置合わせの結果、全てのデータは図８（ｂ）に示すように同じ黄斑中心位置ＮＭｃを持ち、乳頭中心へ向かう直線ＮＬｄも一致するようになるため、信頼性の高い統計データを生成することができる。
【００６８】
なお、位置合わせの別の実施形態として、図８（ｃ）に示すように全てのデータの黄斑中心と乳頭中心の位置が一致するように位置合わせすることもできる。この位置合わせ方法では各データのサイズを拡大、縮小したり、アフィン変換等の座標変換によって位置合わせを行う。また、黄斑中心や乳頭中心以外の網膜上の構造物を用いて位置合わせを行っても良い。例えば乳頭中心の代わりに網膜血管の走行角度情報を用いて位置合わせを行うこともできる。
【００６９】
次に、ステップＳ２７にて統計データ生成部９３６は複数の被検眼の層厚の統計データを生成する。統計データは網膜上の各位置における各層厚の統計データとして生成され、黄斑中心や乳頭中心の位置情報と関連付けられている。そして、生成された統計データはステップＳ２８にて記録部９２６に記憶される。
【００７０】
（黄斑部比較マップ）
次に、本発明において特徴的である比較マップ４４００の生成方法について図１を用いて説明する。比較マップは、被検眼の層厚と、前記の層厚の統計データとを比較した結果を表示するものである。層厚の統計データは予め記憶部９２６に記憶されている。
【００７１】
図１１を用いて比較マップの構成を説明する。４４００は正面画像上に重畳表示された比較マップであり、Ｓａ及びＳｂは統計データに対して層厚が有意に薄い部位を示している。記憶部９２６に格納された統計データは正常眼の層厚の分布（正規分布）に対し、下位５％及び下位１％に相当する層厚値を含んでいる。計測された被検眼の層厚が下位５％に相当する層厚よりも薄い場合、比較マップ４４００上の当該箇所には黄色等の警告色が示される。計測された被検眼の層厚が下位１％に相当する層厚よりも薄い場合、比較マップ４４００上の当該箇所には赤色等の危険色が示される。一方、それ以外の箇所は色がつかないため、網膜上のどの領域において疾病が進行しているかを容易に把握することができる。ここでは層厚がより薄い場合にのみ着色される比較マップの例を示したが、層厚がより厚い場合に着色するようにしても良い。或いは統計データとの変位量に応じて着色するマップとすることもできる。
【００７２】
次に、図９を用いて、比較層厚マップの作成フローについて説明する。ステップＳ３１からステップＳ３５までは上述の層厚マップのステップＳ１１からステップＳ１５までと同様の動作であるので説明を省略する。
【００７３】
ステップＳ３６で位置合わせ部９３５は記憶部９２６から統計データを読み出す。ステップＳ３７で位置合わせ部９３５は、被検眼の層厚と統計データの位置合わせを行う。
【００７４】
初めに位置合わせ部９３５は図１に示される被検眼の黄斑中心ＴＭｃと統計データの黄斑中心ＮＭｃの位置合わせを行う。この位置合わせは互いの黄斑中心が同じ位置となるよう統計データを水平、垂直方向に平行移動することで行う。次に位置合わせ部９３５は黄斑中心から乳頭中心に向かう直線ＴＬｄとＮＬｄの傾きが一致するよう統計データを黄斑中心を中心として回転させる。これらの位置合わせの結果、互いのデータは図１（ｃ）に示すように同じ黄斑中心位置ＴＭｃを持ち、乳頭中心へ向かう直線ＴＬｄも一致するようになるため、信頼性の高い比較マップを生成することができる。
【００７５】
なお、位置合わせの別の実施形態として、図１０に示すように被検眼と統計データの黄斑中心と乳頭中心の位置が一致するように位置合わせすることもできる。この位置合わせ方法では統計データのサイズを拡大、縮小したり、アフィン変換等の座標変換によって位置合わせを行う。また、黄斑中心や乳頭中心以外の網膜上の構造物を用いて位置合わせを行っても良い。例えば乳頭中心の代わりに網膜血管の走行角度情報を用いて位置合わせを行うこともできる。
【００７６】
次に、ステップＳ３８にて比較マップ生成部９３７は被検眼の層厚と統計データを比較し、その結果に基づいて比較マップデータを生成する。ステップＳ３９にて表示制御手段９３８はレポート画面４０００に比較マップを表示し、ステップＳ４０で終了する。
【００７７】
上記のように、本発明における比較マップは網膜の構造に基づき位置合わせを行った後に比較を行うため、精度の高い比較マップを提供することができる。
【００７８】
例えば、緑内障の進行を観察する場合、視神経繊維層（ＮＦＬ）の厚みを統計データと比較する方法が一般的である。視神経線維は乳頭部を中心として放射状に走行しており、弧を描くように黄斑中心付近へと導かれる。従って視神経繊維層の層厚を統計データと比較する場合は、視神経の走行軌跡同士が一致するように位置合わせを行い、統計データと比較することが重要である。一方、乳頭部と黄斑中心の位置関係は人によって様々である。正視した際の乳頭部と黄斑中心の成す角は個人毎に大きく差があり、視神経繊維層の走行軌跡もその角度に応じて変化する。そのため一つの位置情報、例えば乳頭中心位置だけを用いて位置合わせを行った場合、視神経繊維層の走行軌跡が一致しない箇所同士を比較してしまう虞があるが、本発明によれば正確な位置合わせにより精度の高い比較を行うことが可能である。
【００７９】
なお、ここでは網膜上の各位置における層厚比較を示す比較マップの例を示したが、本発明は網膜上の一定範囲の領域における層厚を比較する際にも適用することができる。例えば網膜の中心部６ｍｍの範囲を９個のセクターに分割し、それぞれのセクター内の層厚平均値を求める。そして其々のセクター内の平均値と統計データとの比較を行い、比較結果に基づいてセクター内を着色する。そこでセクター内の平均値と統計データを比較する際、前述の比較マップと同様に黄斑中心と乳頭中心の位置情報を用いて位置合わせを行うことができる。
【００８０】
（乳頭部レポート画面の構成）
図１２を用いて本実施形態に係る乳頭部レポート画面５０００について説明する。乳頭部レポート画面５０００は、モニタ９２８に表示される画面である。スキャンモード選択ボタン２０１２で乳頭３Ｄモードを選択して撮像した被検眼像、計測結果、及び比較結果を詳細に確認する画面である。
【００８１】
５００１は患者情報表示部であり、本画面で表示されている患者の情報、例えば患者ＩＤ、患者名、生年月日、性別、人種などを表示する。５１００は正面画像表示画面であり、ＳＬＯ像もしくは、取得された断層画像から再構築或いは再構成した被検眼画像であるプロジェクション像が表示される。５２００は断層画像表示画面であり、取得された断層画像が表示される。正面画像表示画面５１００には、断層画像表示画面５２００に表示されている断層像を取得した際の走査軌跡の概要図が矢印５１０２として重畳表示される。正面画像表示画面５１００内に表示される枠５１０１は、撮影時に断層像を取得する範囲であり、乳頭を中心とした６ｍｍの正方形である。
【００８２】
５３００は層厚マップ、５４００は比較マップである。以下では、これらについて詳細に説明する。
【００８３】
（乳頭部層厚マップ）
乳頭部の層厚マップの生成及び表示方法は前述した黄斑部の層厚マップ生成及び表示方法と同じであるので省略する。
【００８４】
なお、乳頭部の層厚マップでは緑内障診断向けとしてＮＦＬ厚マップを表示することが一般的である。これはＮＦＬ（視神経繊維層）が乳頭部から放射状に伸びており、乳頭近傍のＮＦＬ厚を診ることで網膜全体における視野欠損の位置や方角を予測可能なためである。
【００８５】
（乳頭部統計データ）
次に、乳頭部の層厚の比較に用いる統計データの生成方法について図１３を用いて説明する。乳頭部の統計データの生成方法は前述した黄斑部の統計データの生成方法とほぼ同様であるが、位置合わせ方法のみが一部異なる。以下にその詳細を説明する。
【００８６】
前述したように黄斑部の撮影では主にＧＣＬを含む層厚を計測することが一般的である。ＧＣＬは黄斑を中心にドーナツ状に分布しているため、黄斑中心位置が必ず一致するように位置合わせを行う。一方、乳頭部の撮影ではＮＦＬの層厚を計測することが一般的である。ＮＦＬは乳頭を中心に放射状に走行しているため、乳頭中心位置が必ず一致するように位置合わせを行うことが望ましい。そのため、乳頭部の撮影を行った場合、以下の様に統計データの位置合わせを行う。
【００８７】
位置合わせ部９３５は複数の被検眼の層厚の位置合わせを行う。初めに位置合わせ部９３５は図１３（ａ）に示される乳頭中心Ｄｃ１、Ｄｃ２、・・・、Ｄｃｎの位置合わせを行う。この位置合わせは全ての黄斑中心が同じ位置となるよう各データを水平、垂直方向に平行移動することで行う。次に位置合わせ部９３５は黄斑中心Ｍｃ１、Ｍｃ２、・・・、Ｍｃｎの位置合わせを行う。この位置合わせは、乳頭中心Ｄｃｎから黄斑中心Ｍｃｎに向かう直線Ｌ１、Ｌ２、・・・、Ｌｎの傾きが一致するよう各データを乳頭中心を中心として回転させることにより行う。これらの位置合わせの結果、全てのデータは図１３（ｂ）に示すように同じ乳頭中心位置ＮＤｃを持ち、黄斑中心へ向かう直線ＮＬｍも一致するようになるため、信頼性の高い統計データを生成することができる。
【００８８】
なお、位置合わせの別の実施形態として、図１３（ｃ）に示すように全てのデータの黄斑中心と乳頭中心の位置が一致するように位置合わせすることもできる。この位置合わせ方法では各データのサイズを拡大、縮小したり、アフィン変換等の座標変換によって位置合わせを行う。
【００８９】
（乳頭部比較マップ）
次に、本発明において特徴的である比較マップ５４００の生成方法について図１４を用いて説明する。乳頭部の比較マップの生成方法は前述した黄斑部の比較マップの生成方法とほぼ同様であるが、位置合わせ方法のみが一部異なる。以下にその詳細を説明する。
【００９０】
統計データの位置合わせと同様、乳頭部の撮影では乳頭中心位置が必ず一致するように位置合わせを行うことが望ましい。そのため、乳頭部の撮影を行った場合、以下の様に統計データの位置合わせを行う。
【００９１】
位置合わせ部９３５は図１４に示される被検眼の乳頭中心ＴＤｃと統計データの乳頭中心ＮＤｃの位置合わせを行う。この位置合わせは互いの黄斑中心が同じ位置となるよう統計データを水平、垂直方向に平行移動することで行う。次に位置合わせ部９３５は乳頭中心から黄斑中心に向かう直線ＴＬｍとＮＬｍの傾きが一致するよう統計データを乳頭中心を中心として回転させる。これらの位置合わせの結果、互いのデータは図１４（ｃ）に示すように同じ乳頭中心位置ＴＤｃを持ち、乳頭中心へ向かう直線ＴＬｍも一致するようになるため、信頼性の高い比較マップを生成することができる。
【００９２】
なお、位置合わせの別の実施形態として、図１５に示すように被検眼と統計データの黄斑中心と乳頭中心の位置が一致するように位置合わせすることもできる。この位置合わせ方法では統計データのサイズを拡大、縮小したり、アフィン変換等の座標変換によって位置合わせを行う。
【００９３】
なお、ここでは網膜上の各位置における層厚比較を示す比較マップの例を示したが、本発明は網膜上の所定軌跡上における層厚を比較する際にも適用することができる。例えば乳頭を中心とした直径３．４５ｍｍの円軌跡上の層厚を計測する。そして円軌跡上の個々の位置における層厚を層厚プロファイルとしてグラフに表示する。そしてグラフに統計データを重畳表示する。ここでグラフに統計データを重畳表示する際、前述の比較マップと同様に黄斑中心と乳頭中心の位置情報を用いて位置合わせを行い、重畳表示する位置を調整することができる。
【００９４】
（その他の実施例）
以上、実施形態を詳述したが、本発明は、例えば、システム、装置、方法、プログラムもしくは記憶媒体等としての実施態様をとることが可能である。具体的には、複数の機器から構成されるシステムに適用してもよいし、また、一つの機器からなる装置に適用してもよい。
【００９５】
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したコンピュータプログラムである。
【００９６】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００９７】
その場合、プログラムの機能を有していれば、オブジェクトコード、インタプリタにより実行されるプログラム、ＯＳに供給するスクリプトデータ等の形態であってもよい。
【００９８】
コンピュータプログラムを供給するためのコンピュータ読み取り可能な記憶媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などである。
【００９９】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１００】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【０１０１】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行い、その処理によって前述した実施形態の機能が実現される。
【０１０２】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行う。
【符号の説明】
【０１０３】
１０７  被検眼
１０１  ＯＣＴ光源
１３３  ＳＬＯスキャナ
１３４  ＯＣＴスキャナ
１７４  ＳＬＯ光源
９００  画像取得部
９２５  パソコン
９２６  ハードディスク
９２８  モニタ
９３０  画像生成部
９３１  層厚計測部
９３２  黄斑中心特定部
９３３  乳頭中心特定部
９３４  層厚マップ生成部
９３５  位置合わせ部
９３６  統計データ生成部
９３７  比較マップ生成部
【図１】
2015080677.tif 000003
【図２】
2015080677.tif 000004
【図３】
2015080677.tif 000005
【図４】
2015080677.tif 000006
【図５】
2015080677.tif 000007
【図６】
2015080677.tif 000008
【図７】
2015080677.tif 000009
【図８】
2015080677.tif 000010
【図９】
2015080677.tif 000011
【図１０】
2015080677.tif 000012
【図１１】
2015080677.tif 000013
【図１２】
2015080677.tif 000014
【図１３】
2015080677.tif 000015
【図１４】
2015080677.tif 000016
【図１５】
2015080677.tif 000017
【図１６】
2015080677.tif 000018